(57)【要約】【課題】開閉装置の駆動負荷が低減すると共に、密閉性を高める。【解決手段】温室用換気フィルム１０として、密閉用フィルム部１１と換気用孔部１２ｄを備えたネット状部材１２との組み合わせからなるものを用い、これを、巻き取り軸２１，２２に対して、密閉用フィルム部１１とネット状部材１２との隣接方向に巻き取らせる構成である。従って、本発明によれば、ネット状部材１２を全て巻き取ることにより、ネット状部材１２に形成された全ての換気用孔部１２ｄを閉塞できるため、従来のように、巻き取り軸と固定張りとの間におけるひさし状の板状部材などを設ける必要がない。また、巻き取り軸の駆動負荷を従来よりも軽減することができる。また、ひさし状の板状部材などを設ける必要がないため、温室の骨組み材に蛇行が生じていたとしても、換気用の開口部１１０を確実に密閉することができる。【選択図】　図２
2004097085.tif 000002
【特許請求の範囲】
【請求項１】
密閉用フィルム部と、換気用孔部を備えた換気用孔部形成部とが隣接して一体的に形成されており、巻き取り軸の回転により、前記密閉用フィルム部と換気用孔部形成部との隣接方向に巻き取り又は巻き戻しされるように設けられることを特徴とする温室用換気フィルム。
【請求項２】
前記換気用孔部形成部が、その端部付近に、換気用孔部を有さない所定幅のフィルム部を有することを特徴とする請求項１記載の温室用換気フィルム。
【請求項３】
前記換気用孔部形成部が、ネット状部材、密閉用フィルム部との隣接方向に対して略直交する方向に所定間隔ごとに設けられた複数の紐状部材、又は該ネット状部材と複数の紐状部材との組み合わせにより構成されていることを特徴とする請求項１又は２記載の温室用換気フィルム。
【請求項４】
密閉用フィルム部と、換気用孔部を備えた換気用孔部形成部とが隣接して一体的に形成された温室用換気フィルムの開閉装置であって、
各端部付近が固定された前記密閉用フィルム部と換気用孔部形成部との隣接方向に対して略直交する方向に長手方向を沿わせ、かつ前記密閉用フィルム部と換気用孔部形成部との隣接方向に所定間隔をおいて、一方が主として前記密閉用フィルム部を巻き取り可能に、他方が主として前記換気用孔部形成部を巻き取り可能に設けられる一対の巻き取り軸を具備し、
一方の巻き取り軸に密閉用フィルム部を巻き取ると、他方の巻き取り軸から換気用孔部形成部が巻き戻され、他方の巻き取り軸に換気用孔部形成部を巻き取ると一方の巻き取り軸から密閉用フィルム部が巻き戻される構造であることを特徴とする温室用換気フィルムの開閉装置。
【請求項５】
前記一方の巻き取り軸は、前記密閉用フィルム部を巻き戻した展開時において、該密閉用フィルム部の端部と、換気用孔部形成部との隣接部との間に位置し、該密閉用フィルム部をその中途部から巻き取り又は巻き戻し可能に設けられ、
前記他方の巻き取り軸は、前記換気用孔部形成部を巻き戻した展開時において、該換気用孔部形成部の端部と、密閉用フィルム部との隣接部との間に位置し、該換気用孔部形成部をその中途部から巻き取り又は巻き戻し可能に設けられていることを特徴とする請求項４記載の温室用換気フィルムの開閉装置。
【請求項６】
密閉用フィルム部と、換気用孔部を備えた換気用孔部形成部とが一体的に又はそれぞれ別々に形成された温室用換気フィルムの開閉装置であって、
各端部付近が固定された前記密閉用フィルム部と換気用孔部形成部との隣接方向に対して略直交する方向に長手方向を沿わせ、かつ前記密閉用フィルム部と換気用孔部形成部との隣接部とが一緒に巻き付けられた一方の巻き取り軸と、
前記密閉用フィルム部と換気用孔部形成部のいずれか一方の端部と前記隣接部との間に位置し、密閉用フィルム部と換気用孔部形成部のいずれかをその中途部から巻き取り又は巻き戻し可能に設けられた他方の巻き取り軸と
を具備することを特徴とする温室用換気フィルムの開閉装置。
【請求項７】
前記換気用孔部形成部が、ネット状部材、密閉用フィルム部との隣接方向に対して略直交する方向に所定間隔ごとに設けられた複数の紐状部材、又は該ネット状部材と複数の紐状部材との組み合わせにより構成されていることを特徴とする請求項４〜６のいずれか１に記載の温室用換気フィルムの開閉装置。
【請求項８】
前記各巻き取り軸には、それぞれ、各巻き取り軸から密閉用フィルム部又は換気用孔部形成部が巻き戻される際に、所定の制動力を発揮する制動機構が設けられていることを特徴とする請求項４〜７のいずれか１に記載の温室用換気フィルムの開閉装置。
【請求項９】
前記各巻き取り軸の逆転を防止する逆転防止手段が設けられていることを特徴とする請求項４〜８のいずれか１に記載の温室用換気フィルムの開閉装置。
【発明の詳細な説明】
【０００１】
【発明の属する技術分野】
本発明は、温室用換気フィルム及び該温室用換気フィルムの開閉装置に関する。
【０００２】
【従来の技術】
温室用の外被としては、一般に、ビニルフィルム、ポリオレフィン系フィルム、フッ素系フィルムなどのプラスチックフィルムが用いられる。かかるプラスチックフィルムは、温室の骨組み材に支持され、風等に煽られることによるばたつき等をできるだけ小さくするために、所定の張力をかけて設けられている。その一方、温室内の換気を行う必要があることから、温室の側面部には、換気用の開口部を形成している。そして、この開口部を覆うように換気部材としてのプラスチックフィルムを配設し、このプラスチックフィルムを巻き取り軸に巻き取ることにより該開口部を開放して換気可能とし、巻き戻すことにより開口部を閉塞できるようにしている。
【０００３】
【発明が解決しようとする課題】
上記したように、温室内を換気するに当たっては、巻き取り軸に巻き取り及び巻き戻し可能な換気部材としてのプラスチックフィルム（換気フィルム）を設ける必要がある。このため、換気フィルムによって開口部を閉じた際には、開口部周囲に位置する、固定配設されたプラスチックフィルム（固定張り）との間の隙間対策が問題となる。かかる隙間をなくす手段として、開閉動作する換気フィルムの先端に板状部材をひさし状に突出させ、閉じた際には、この板状部材が固定張りと重なるようにすることが考えられる。しかしながら、このような板状部材を設けた場合には、巻き取り軸を回転駆動させる際の負荷となる。換気用の開口部は、上記のように、温室の側面部に形成されることが通常であるが、温室の換気効率を向上させるためには、温室の天井部に換気用の開口部を形成することが望まれる。しかしながら、天井部に形成する場合には、雨滴の侵入を確実に防止する必要があることから、側面部に形成する場合よりも、ひさし状の板状部材としては、より確実に密閉できる構造のものが必要となり、巻き取り軸の駆動負荷はさらに大きくなる。
【０００４】
また、温室を形成する骨組み材は軽量なパイプ材からなるが、外被を形成するプラスチックフィルムは所定の張力をかけて張設されるため、施工時に長手方向あるいは上下方向に骨組み材に蛇行を生じさせる場合がある。この場合には、板状部材からなるひさしを用いたとしても、部分的に隙間が生じてしまうことから、密閉性の点で問題がある。
【０００５】
一方、作物によっては、害虫や鳥による被害を防止する必要があるが、かかる場合、従来、上記した換気フィルムとは別途に、換気用の開口部の内側に、防虫・防鳥用ネットを設ける必要があった。このため、設備コストの増加要因になると共に、設置作業も面倒であるという問題があった。
【０００６】
本発明は上記した点に鑑みなされたものであり、ひさし状に突出させる密閉用の板状部材を不要とすることにより、巻き取り軸の駆動負荷を軽減できると共に、温室の骨組み材に蛇行が生じたとしても、換気用の開口部の密閉性を損なうことがなく、しかも、防虫・防鳥機能を備え、換気用に必要な部材とは別の、専用の防虫・防鳥用ネットを不要とすることができる温室用換気フィルム及び該温室用換気フィルムの開閉装置を提供することを課題とする。
【０００７】
【課題を解決するための手段】
上記した課題を解決するため、請求項１記載の本発明では、密閉用フィルム部と、換気用孔部を備えた換気用孔部形成部とが隣接して一体的に形成されており、巻き取り軸の回転により、前記密閉用フィルム部と換気用孔部形成部との隣接方向に巻き取り又は巻き戻しされるように設けられることを特徴とする温室用換気フィルムを提供する。
請求項２記載の本発明では、前記換気用孔部形成部が、その端部付近に、換気用孔部を有さない所定幅のフィルム部を有することを特徴とする請求項１記載の温室用換気フィルムを提供する。
請求項３記載の本発明では、前記換気用孔部形成部が、ネット状部材、密閉用フィルム部との隣接方向に対して略直交する方向に所定間隔ごとに設けられた複数の紐状部材、又は該ネット状部材と複数の紐状部材との組み合わせにより構成されていることを特徴とする請求項１又は２記載の温室用換気フィルムを提供する。
請求項４記載の本発明では、　密閉用フィルム部と、換気用孔部を備えた換気用孔部形成部とが隣接して一体的に形成された温室用換気フィルムの開閉装置であって、
各端部付近が固定された前記密閉用フィルム部と換気用孔部形成部との隣接方向に対して略直交する方向に長手方向を沿わせ、かつ前記密閉用フィルム部と換気用孔部形成部との隣接方向に所定間隔をおいて、一方が主として前記密閉用フィルム部を巻き取り可能に、他方が主として前記換気用孔部形成部を巻き取り可能に設けられる一対の巻き取り軸を具備し、
一方の巻き取り軸に密閉用フィルム部を巻き取ると、他方の巻き取り軸から換気用孔部形成部が巻き戻され、他方の巻き取り軸に換気用孔部形成部を巻き取ると一方の巻き取り軸から密閉用フィルム部が巻き戻される構造であることを特徴とする温室用換気フィルムの開閉装置を提供する。
請求項５記載の本発明では、前記一方の巻き取り軸は、前記密閉用フィルム部を巻き戻した展開時において、該密閉用フィルム部の端部と、換気用孔部形成部との隣接部との間に位置し、該密閉用フィルム部をその中途部から巻き取り又は巻き戻し可能に設けられ、
前記他方の巻き取り軸は、前記換気用孔部形成部を巻き戻した展開時において、該換気用孔部形成部の端部と、密閉用フィルム部との隣接部との間に位置し、該換気用孔部形成部をその中途部から巻き取り又は巻き戻し可能に設けられていることを特徴とする請求項４記載の温室用換気フィルムの開閉装置を提供する。請求項６記載の本発明では、密閉用フィルム部と、換気用孔部を備えた換気用孔部形成部とが一体的に又はそれぞれ別々に形成された温室用換気フィルムの開閉装置であって、
各端部付近が固定された前記密閉用フィルム部と換気用孔部形成部との隣接方向に対して略直交する方向に長手方向を沿わせ、かつ前記密閉用フィルム部と換気用孔部形成部との隣接部とが一緒に巻き付けられた一方の巻き取り軸と、
前記密閉用フィルム部と換気用孔部形成部のいずれか一方の端部と前記隣接部との間に位置し、密閉用フィルム部と換気用孔部形成部のいずれかをその中途部から巻き取り又は巻き戻し可能に設けられた他方の巻き取り軸と
を具備することを特徴とする温室用換気フィルムの開閉装置を提供する。
請求項７記載の本発明では、前記換気用孔部形成部が、ネット状部材、密閉用フィルム部との隣接方向に対して略直交する方向に所定間隔ごとに設けられた複数の紐状部材、又は該ネット状部材と複数の紐状部材との組み合わせにより構成されていることを特徴とする請求項４〜６のいずれか１に記載の温室用換気フィルムの開閉装置を提供する。
請求項８記載の本発明では、前記各巻き取り軸には、それぞれ、各巻き取り軸から密閉用フィルム部又は換気用孔部形成部が巻き戻される際に、所定の制動力を発揮する制動機構が設けられていることを特徴とする請求項４〜７のいずれか１に記載の温室用換気フィルムの開閉装置を提供する。
請求項９記載の本発明では、前記各巻き取り軸の逆転を防止する逆転防止手段が設けられていることを特徴とする請求項４〜８のいずれか１に記載の温室用換気フィルムの開閉装置を提供する。
【０００８】
【発明の実施の形態】
以下、図面に示した実施形態に基づき本発明をさらに詳細に説明する。図１は本発明の一の実施形態にかかる温室用換気フィルム１０を示す平面図である。この図に示したように、温室用換気フィルム１０は、密閉用フィルム部１１と換気用孔部形成部としてのネット状部材１２とが一方向に隣接して設けられている。密閉用フィルム部１１は、雨滴や空気が表裏に通過し得る孔部を有さない、従来、ビニルハウス等の温室の外被として用いられているフィルムそのままの形態からなり、ネット状部材１２は、多数の換気用孔部１２ｄを備えた網目状に形成されている。ネット状部材１２に形成された換気用孔部１２ｄは、主として換気の役割を果たすことができる限り、その孔径は限定されるものではないが、防虫・防鳥機能を兼用させることが望ましく、害虫や鳥が通過し得ない孔径で形成することが好ましい。換気用孔部１２ｄの孔形状は限定されるものではなく、円形、楕円形あるいは方形であってもよいし、長孔状ないしはスリット状に形成したものであってもよい。
【０００９】
密閉用フィルム部１１とネット状部材１２とは、予め別体に成形したものを、隣接部１１ａ，１２ａ同士を一部重ねて溶着、接着等により一体化したものであってもよいし、一枚のプラスチックフィルムを用いて、図１の左半分に対して換気用孔部を穿ち、該左半分をネット状部材１２とし、右半分を密閉用フィルム部１１とすることもできる。
【００１０】
上記した温室用換気フィルム１０は、温室１００に対し、密閉用フィルム部１１とネット状部材１２との隣接方向（図１参照）に、開閉装置２０によって巻き取り又は巻き戻しされることにより、温室１００の換気用の開口部１１０を開閉可能に設けられる。例えば、図２に示したように、温室１００の天井部付近に換気用の開口部１１０を形成する場合には、該開口部１１０を除いた部分にプラスチックフィルムからなる固定張り１２０を設け、この固定張り１２０間で、該開口部１１０を開閉し得るよう配設する。すなわち、本実施形態の温室用換気フィルム１０の各端部１１ｂ，１２ｂ（隣接部１１ａ，１２ａの反対側の端部）付近を、固定張り１２０との間で隙間が生じないように、温室１００の奥行き方向に沿って設けた固定部材３０によってそれぞれ固定し、該端部１１ｂ，１２ｂ間で、開閉装置２０によって、密閉用フィルム部１１が巻き取られることにより、ネット状部材１２が展開して、換気状態（開口部１１０の開放状態）となり、ネット状部材１２が巻き取られることにより、密閉用フィルム部１１が展開して、温室１００内を密閉状態（開口部１１０の閉塞状態）とし得るように設けられる。
【００１１】
但し、ネット状部材１２は、図１に示したように、その端部１２ｂ付近に、換気用孔部が形成されておらず、密閉用フィルム部１１と同様の形態の所定幅のフィルム部１２ｃを有することが好ましい。後述の他方の巻き取り軸２２によって、ネット状部材１２が全て巻き取られることにより、該巻き取り軸２２が固定部材３０に密接すれば、該巻き取り軸２２によって、雨滴等の内部への侵入を防ぐことができるが、巻き取り軸２２の巻き取り停止位置は、固定部材３０に対して多少の余裕を持った位置とした方が、巻き取り軸２２の巻き取り停止位置付近での動作がスムースになる。従って、巻き取り軸２２の巻き取り停止位置を固定部材３０から多少離間した位置とした場合でも、雨滴等が侵入しないように、ネット状部材１２の端部１２ｂから所定幅の部分は、換気用孔部を有さないフィルム部１２ｃとすることが好ましい。なお、このフィルム部１２ｃは、ネット状部材１２に対し、別部材からなるものを溶着、接着等により一体化して形成してもよいし、換気用孔部１２ｄの形成位置を制限することで、形成してもよい。
【００１２】
また、各端部１１ｂ，１２ｂ付近を固定する固定部材３０の構造は任意であり、例えば、パイプ材を用いて、該パイプ材の周面に各端部１１ｂ，１２ｂを巻き付けた後、その外面から略半管状の弾性のある部材を嵌合して固定することもできるし、長手方向に沿って凹部を備えた長尺部材内に各端部１１ｂ，１２ｂ付近を挿入した後、該凹部内にバネ部材等を装填して、各端部１１ｂ，１２ｂ付近を凹部内に押さえつけて固定することもできる。
【００１３】
上記した温室用換気フィルム１０の巻き取り又は巻き戻しを行う本実施形態の開閉装置２０は、一対の巻き取り軸２１，２２を有して構成される。いずれも、その長手方向を、温室用換気フィルム１０を構成する密閉用フィルム部１１とネット状部材１２との隣接方向に対して略直交する方向、すなわち、図２では、温室１００の長手方向に沿わせて設けられる。一方の巻き取り軸２１は、主として密閉用フィルム部１１の巻き取り・巻き戻しを行い、他方の巻き取り軸２２は、主としてネット状部材１２の巻き取り・巻き戻しを行うことができるように、所定の間隔をおいて配設される。なお、「主として」とは、各巻き取り軸２１，２２の配設位置によって、一方の巻き取り軸２１は、密閉用フィルム部１１のみを巻き取り・巻き戻しする場合のほかに、密閉用フィルム部１１に加えてネット状部材１２の一部も含めて巻き取り・巻き戻しする場合も含む意味であり、また、他方の巻き取り軸２２は、ネット状部材１２のみを巻き取り・巻き戻しする場合のほかに、ネット状部材１２に加えて密閉用フィルム部１１の一部も含めて巻き取り・巻き戻しする場合も含む意味である。
【００１４】
また、一方の巻き取り軸２１は、密閉用フィルム部１１におけるネット状部材１２との隣接部１１ａとその反対側の端部１１ｂとの中途に、好ましくは中間付近に設けられる（図３（ａ）参照）。同様に、他方の巻き取り軸２２は、ネット状部材１２における密閉用フィルム部１１との隣接部１２ａとその反対側の端部１２ｂとの中途に、好ましくは中間付近に設けられる（図５（ａ）参照）。これにより、一方の巻き取り軸２１が一方向（図２においてＸ方向）に回転した場合には、密閉用フィルム部１１のうち、一方の巻き取り軸２１を挟んで両側に位置する部位が一緒に巻き取られていき、他方向（図２においてＹ方向）に回転した場合には、一方の巻き取り軸２１を挟んで両側に位置する部位が一緒に巻き戻されていく。また、他方の巻き取り軸２２が、他方向（図２においてＹ方向）に回転した場合には、ネット状部材１２のうち、他方の巻き取り軸２２を挟んで両側に位置する部位が一緒に巻き取られていき、一方向（図２においてＸ方向）に回転した場合には、他方の巻き取り軸２２を挟んで両側に位置する部位が一緒に巻き戻されていく。
【００１５】
一方の巻き取り軸２１及び他方の巻き取り軸２２は、いずれも制動機構２１ａ，２２ａに長手方向端部が連結されて支持されていることが好ましい。制動機構２１ａ，２２ａは、本実施形態の温室用換気フィルム１０に所定の張力を付与し、ばたつきを防止するために設けられ、かかる機能を果たすものであればどのような構造のものであってもよい。例えば、各巻き取り軸２１，２２の軸受け部回りに粘性液体が充填された回転ダンパや、バネやゴムの弾性力を利用した緩衝器などを用いることができる。また、本実施形態では、一方の巻き取り軸２１をＸ方向に回転させることによって、密閉用フィルム部１１を巻き取り、他方の巻き取り軸２２からネット状部材１２を巻き戻して展開し、他方の巻き取り軸２２をＹ方向に回転させることによって、ネット状部材１２を巻き取り、一方の巻き取り軸２１から密閉用フィルム部１１を巻き戻して展開する構成である。
【００１６】
従って、一方の巻き取り軸２１に設ける制動機構２１ａは、Ｘ方向に回転する際には、制動力が機能せず、Ｙ方向に回転した場合のみ制動力が機能するようなワンウエイクラッチを介在させ、他方の巻き取り軸２２に設ける制動機構２２ａは、Ｙ方向に回転する際に制動力が機能せず、Ｘ方向に回転した場合のみ制動力が機能するようなワンウエイクラッチを介在させることが好ましい。これにより、一方の巻き取り軸２１をＸ方向に回転させた際には、他方の巻き取り軸２２もＸ方向に回転するため、該他方の巻き取り軸２２に連結された制動機構２２ａの制動力が機能し、他方の巻き取り軸２２をＹ方向に回転させた際には、一方の巻き取り軸２１もＹ方向に回転するため、該一方の巻き取り軸２１に連結された制動機構２１ａの制動力が機能する。
【００１７】
一方の巻き取り軸２１及び他方の巻き取り軸２２を回転動作させる駆動機構は、本実施形態では、各端部に連結された滑車部材２１ｂ，２２ｂと、各滑車部材２１ｂ，２２ｂに無端状に掛け回されたチェーン２１ｃ，２２ｃとにより構成されている。すなわち、チェーン２１ｃ，２２ｃを任意の方向に引き下ろすことにより、滑車部材２１ｂ，２２ｂをＸ方向又はＹ方向に回転させて、一方の巻き取り軸２１又は他方の巻き取り軸２２を回転駆動させる構造である。もちろん、これはあくまで一例であり、チェーンに代えてベルト部材を用いることもできるし、一方の巻き取り軸２１又は他方の巻き取り軸２２に駆動伝達軸（図示せず）を連結し、これに操作ハンドルをさらに連結して駆動させる構造とすることもできる。また、手動ではなくモータを用いた電動式とすることもできる。但し、いずれの場合でも、一方の巻き取り軸２１及び他方の巻き取り軸２２は、温室用換気フィルム１０の巻き取り又は巻き戻しに伴ってその位置が変化するため、本実施形態のように滑車部材２１ｂ，２２ｂが各巻き取り軸２１，２２と共に移動する構成とするなど、各巻き取り軸２１，２２の位置変化に追随して駆動力を伝達できる機構とする必要がある。
【００１８】
次に、本実施形態の作用を説明する。例えば、図３に示したように、温室用換気フィルム１０を構成する密閉用フィルム部１１が一方の巻き取り軸２１から巻き戻されて展開され、開口部１１０を閉塞しているとする。かかる状態から、開口部１１０を開放する際には、チェーン２１ｃを操作して、一方の巻き取り軸２１をＸ方向に回転させる。これにより、図４に示したように、密閉用フィルム部１１が一方の巻き取り軸２１にその中途部から巻き取られていき、他方の巻き取り軸２１からネット状部材１２が引き出されてくる。そして、さらに、チェーン２１ｃを操作して一方の巻き取り軸２１をＸ方向に回転させると、図５に示したように、ネット状部材１２が一方の巻き取り軸２１に全て巻き取られ、ネット状部材１２が展開され、開口部１１０がネット状部材１２によって被覆される。これにより、ネット状部材１２の換気用孔部１２ｄを通じて換気がなされる換気状態（開口部１１０の開放状態）となる。一方の巻き取り軸２１をＸ方向に回転させる際には、他方の巻き取り軸２２がＸ方向に回転することにより、他方の巻き取り軸２２に連結された制動機構２２ａの制動力が機能するため、ネット状部材１２は、所定の張力が付与された状態で巻き戻されていき、展張時におけるばたつきが抑制される。また、密閉用フィルム部１１は、一方の巻き取り軸２１を挟んで両側に位置する部位が一緒に巻き取られていき、ネット状部材１２は、他方の巻き取り軸２２を挟んで両側に位置する部位が一緒に巻き戻されていく。従って、密閉用フィルム部１１の巻き取り動作とネット状部材１２の巻き戻し動作が迅速に行われる。このため、温室内において最も温度が高くなる領域である天井付近に溜まる熱を迅速に外部に排出でき、応答性に優れた換気機能を発揮させることができる
【００１９】
このようにして、開口部１１０がネット状部材１２によって被覆されると（開口部１１０が開放状態となると）、その換気用孔部１２ｄを通じて温室１００内の換気がなされると共に、換気状態（開口部１１０の開放状態）であるにも拘わらず、害虫や鳥の温室１００内への侵入が防止される。従って、本実施形態の温室用換気フィルム１０を用いた場合には、換気と同時に、防虫・防鳥機能を発揮できるため、別途の防虫・防鳥ネットを配設する必要がない。また、従来、換気中は、開口部１１０の全面が開放されてしまうため、遮熱や遮光を行うことができなかったが、本実施形態によれば、ネット状部材１２が網目状であるため、所定の遮熱・遮光機能を発揮させることができる。しかも、換気用孔部の大きさ、形状、あるいはネット状部材１２の素材等の選択により、遮熱・遮光能力を種々調整することもできる。
【００２０】
上記した温室用換気フィルム１０を開口部１１０の開放状態から閉じる際には、チェーン２２ｃを操作して、他方の巻き取り軸２２をＹ方向に回転させる。これにより、他方の巻き取り軸２２にネット状部材１２が巻き取られていくと同時に、一方の巻き取り軸２１からは密閉用フィルム部１１が巻き戻されていく。そして、上記と逆に、図４に示した状態を経て、密閉用フィルム部１１が全て巻き戻されると、図３に示したように開口部１１０が密閉用フィルム部１１に覆われて、閉塞状態となる。この場合も、他方の巻き取り軸２２がＹ方向に回転動作中、一方の巻き取り軸２１の制動機構２１ａの制動力が機能するため、ネット状部材１２を巻き取って密閉用フィルム部１１を展張している際のばたつきを抑制することができる。また、ネット状部材１２が他方の巻き取り軸２２に対して中途部から巻き取られ、密閉用フィルム部１１が一方の巻き取り軸２１を挟んで両側に巻き戻されていくため、ネット状部材１２の巻き取り動作及び密閉用フィルム部１１の巻き戻し動作が迅速に行われ、急な降雨等に対する応答性に優れている。
【００２１】
また、他方の巻き取り軸２２にネット状部材１２を全て巻き取った状態では、他方の巻き取り軸２２と一方の巻き取り軸２１との間は、全て密閉用フィルム部１１により覆われ、全く隙間が生じない。また、他方の巻き取り軸２２と固定部材３０との間は、図３（ａ）に示したようにフィルム部１２ｃで覆われている。従来の換気用フィルムは、固定張りに対して可動端部が離接することにより、換気用の開口部を開閉していたために、換気用フィルムの可動端部と固定張りとの間の隙間防止対策（例えば、ひさし状の板状部材など）が必須であったが、本実施形態によれば、ネット状部材１２を巻き取ることにより、全ての換気用孔部１２ｄを閉塞できるため、巻き取り軸と固定張りとの間におけるひさし状の板状部材などを設ける必要がない。従って、巻き取り軸２１，２２の駆動負荷を従来よりも軽減することができる。
【００２２】
ここで、各巻き取り軸２１，２２は、本実施形態においては、上記した制動機構２１ａ，２２ａに支持されており、温室用換気フィルム１０の開閉時におけるばたつきが防止されるが、密閉用フィルム部１１の展開終了時（開口部１１０の閉鎖時）、ネット状部材１２の展開終了時（開口部１１０の開放時）、あるいは、開閉途中で停止させた場合には、各巻き取り軸２１，２２のうちの少なくとも一方の逆転を防止する必要がある。かかる逆転防止手段としては、各滑車部材２１ｂ，２２ｂとの連結部に設けられる各種ギアの組み合わせ等からなる減速機構（図示せず）のギア比を調整するなどして、該減速機構に担わせることも可能であるが、その場合には、滑車部材２１ｂ，２２ｂを回転させる操作力との兼ね合いが問題となる。従って、逆転防止手段は、減速機構に担わせるのではなく、別途の機構として設けることが好ましく、本実施形態では、図６に示した逆転防止手段を採用している。
【００２３】
この逆転防止手段は、一方の巻き取り軸２１の端部及び滑車部材２１ｂの減速機構との間に配設した連結軸１５の周囲に固定される外面角形の角形管部材１６と、該角形管部材１６に嵌合可能な角部を内周面に備えたジョイント管１７と、該ジョイント管１７に連結された係合パイプ１７ａとを備えて構成されている。すなわち、温室用換気フィルム１０の開閉動作時には、係合パイプ１７ａを操作してジョイント管１７を角形管部材１６から離脱させておき、停止時においては、係合パイプ１７ａを任意の角度となるように上下に回動させた上で、ジョイント管１７を角形管部材１６に嵌合させ、該係合パイプ１７ａの端部等を任意の不動部に係止する構成である。これにより、減速機構に負荷をかけることなく、一方の巻き取り軸２１の逆転を防止できる。
【００２４】
また、ジョイント管１７の角形管部材１６に対する離接操作を容易にするため、一方の巻き取り軸２１には固定環１８を設けておき、該固定環１８とジョイント管１７との間に、ジョイント管１７を常態において固定環１８から離接する方向に付勢するコイルスプリング１８ａ等の付勢手段を設けておくことが好ましい。そして、該固定環１８とジョイント管１７との間には両者を連結するリンク部材１９を設けると共に、このリンク部材１９を構成する各リンクの接続部に連結される線材１９ａと、該線材１９ａを引っ張ったり緩めたりする操作レバー１９ｂを上記係合パイプ１７ａに付設する。これにより、操作レバー１９ｂを一方に回動させた場合には、線材１９ａが緩み、コイルスプリング１８ａの弾性力によって、ジョイント管１７が角形管部材１６に接近していき嵌合する。一方、操作レバー１９ｃを他方に回動させた場合には、線材１９ｂが引っ張られ、リンク部材１９の各リンクの接続部が手前に突出するため、ジョイント管１７がコイルスプリング１８の弾性力に抗して、固定環１８に接近する方向にスライドし、角形管部材１６の外周から離脱する。
なお、このような逆転防止手段は、各巻き取り軸２１，２２の各端部付近のうちのいずれか少なくとも１カ所に設ければよい。
【００２５】
図７は、本発明の他の実施形態を示す概念図であり、本実施形態においては、上記した密閉用フィルム部１１と換気用孔部形成部としてのネット状部材１２とを備えた温室用換気フィルム１０を２つ使用し、そのそれぞれに、一対の巻き取り軸２１，２２を有する開閉装置２０を配設している。すなわち、本実施形態においては、温室１００の頂部を境として、その両側に２つの温室用換気フィルム１０を配設しており、いずれも、頂部寄りに密閉用フィルム部１１が位置するように設けている。温室１００の頂部に沿って配設した固定部材３０に対し、左右の密閉用フィルム部１１，１１の端部１１ｂ，１１ｂを固定し、左右のネット状部材１２，１２の端部１２ｂ，１２ｂは、温室１００の各側部の下端付近に配設した固定部材３０，３０に対して固定している。そして、各温室用換気フィルム１０ごとに一対の巻き取り軸２１，２２を配設している。
【００２６】
従って、本実施形態によれば、左右いずれかに配置された一対の巻き取り軸２１，２２のいずれかを駆動させることにより、左右いずれかに配置された温室用換気フィルム１０の密閉用フィルム部１１及びネット状部材１２のいずれかが展開され、温室１００の右半分又は左半分の開口部を任意に開閉できる。従って、例えば、右側に配置された他方の巻き取り軸２２により右側の温室用換気フィルム１０のネット状部材１２を巻き取り、左側に配置された他方の巻き取り軸２２により左側の温室用換気フィルム１０のネット状部材１２を巻き取ることにより、温室１００を全閉できる。また、右側に配置された一方の巻き取り軸２１により右側の温室用換気フィルム１０の密閉用フィルム部１１を巻き取り、左側に配置された一方の巻き取り軸２１により左側の温室用換気フィルム１０の密閉用フィルム部１１を巻き取ることにより、温室１００の右半分及び左半分のいずれもネット状部材１２で覆われた、全面開放状態とすることもできる。この場合、全面開放状態となっても、ネット状部材１２で覆われているため、該ネット状部材１２により上記の防虫・防鳥機能、遮光・遮熱機能を発揮させることができる。
【００２７】
なお、温室用換気フィルム１０の大きさ、すなわち、該温室用換気フィルム１０によって被覆される温室１００の開口部１１０の大きさは任意であり、例えば、温室１００を全面開放可能な構成とするに当たって、上記実施形態では、温室用換気フィルム１０及び開閉装置２０を２組ずつ用いているが、温室１００の天井部及び各側面部を１枚で被覆可能な大きさの温室用換気フィルム１０を用い、温室用換気フィルム１０及び開閉装置２０を１組用いるだけで全面開放可能な構成とすることもできる。また、温室用換気フィルム１０及び開閉装置２０を３組以上用いることも可能である。もちろん、温室用換気フィルム１０の大きさが大きくなるほど、開閉に要する時間が長くなるので、適宜に、例えば、図７に示したように２つに分割した構成とすることが好ましく、また、それにより、必要な箇所のみ任意にかつ迅速に開閉できるという利点も有する。
【００２８】
図８は、本発明の他の実施形態に係る温室用換気フィルム２００を示す図である。この温室用換気フィルム２００は、換気用孔部形成部として、上記実施形態のネット状部材１２に代えて複数の紐状部材２２０を用いている。各紐状部材２２０は、密閉用フィルム部２１０との隣接方向にのび、該隣接方向に対して略直交する方向に所定間隔ごとに設けられ、各紐状部材２２０間の隙間が換気用孔部２２０ｄとなる。密閉用フィルム部２１０と各紐状部材２２０とを一体化する手段は限定されるものではないが、例えば、隣接部２１０ａ，２２０ａ同士を一部重ね合わせて、溶着、接着等により一体化することができる。また、各紐状部材２２０における隣接部２２０ａと反対側の端部２２０ｂは、直接、温室１００の換気用の開口部１１０を形成する固定張り１２０（図２参照）との間で、隙間が生じないように設けることもできるが、配設作業を容易化するため、図８に示したように、各紐状部材２２０の端部２２０ｂ間を連結する所定幅のフィルム部２２０ｃを設けることが好ましい。このフィルム部２２０ｃとして、密閉用フィルム部２１０と同様の換気用孔部を有さないものを用いれば、上記実施形態と同様に、他方の巻き取り軸２２によって、各紐状部材２２０が巻き取られた際における隙間を防止できる。
【００２９】
本実施形態においても、図示しないが、一方の巻き取り軸２１が密閉用フィルム部２１０の略中央部に配置され、他方の巻き取り軸２２が換気用孔部形成部を構成する複数の紐状部材２２０の略中央部に配置される。これにより、一方の巻き取り軸２１によって密閉用フィルム部２１０が巻き取られると、複数の紐状部材２２０が温室１００の換気用の開口部１１０（図２参照）上を覆い換気状態（開放状態）となる。この際、本実施形態では、換気用孔部２２０ｄが紐状部材２２０間の隙間により形成されるため、上記実施形態のネット状部材１２の換気用孔部１２ｄと比較すると、本実施形態の換気用孔部２２０ｄの方が一般的には大きくなる。従って、遮熱・遮光機能、防虫・防鳥機能の点では上記実施形態のネット状部材１２より劣る可能性があるものの、換気機能は十分果たすことができる。もちろん、各紐状部材２２０間の間隔を適宜に設定することにより、遮熱・遮光機能、防虫・防鳥機能を高めることも可能である。また、各紐状部材２２０としては、所定の強度を有するものであれば、糸状のもの、ベルト状のもの等種々のものを用いることができ、これらの幅を適宜に設定することによっても、換気機能はもとより、遮熱・遮光機能、防虫・防鳥機能を調整することができる。
【００３０】
さらに、各紐状部材２２０を、図８に示したように、密閉用フィルム部２１０との隣接方向に沿って配設するだけでなく、縦横に配設することも可能であるが、紐状部材を縦横に配置した場合には結局ネット状になるため、かかる態様は、本明細書においては、上記実施形態のネット状部材１２に含まれるものとする。また、図８に示したような紐状部材２２０を、例えば、密閉用フィルム部２１０との隣接方向に沿って半分の長さだけとし、残りの半分の長さに相当する部分にネット状部材１２を配設して、両者を組み合わせて用いることもできる。
【００３１】
図９及び図１０は、本発明の他の実施形態に係る温室用換気フィルムの開閉装置を説明するための図である。この図に示したように、本実施形態では、密閉用フィルム部３１０と、換気用孔部を備えた換気用孔部形成部としてのネット状部材３２０とが上記各実施形態のように一体化されておらず、それぞれ別々に形成された温室用換気フィルム３００を用いている。そして、密閉用フィルム部３１０とネット状部材３２０の各隣接部３１０ｂ，３２０ｂを一方の巻き取り軸２１に一緒に巻き付け、一方向に回転することにより、該一方の巻き取り軸２１の両脇付近に位置する密閉用フィルム部３１０とネット状部材３２０のＢ領域とを一緒に巻き取り、他方向に回転することにより、両者を共に巻き戻していく構成である。
【００３２】
より詳細には、図９及び１０（ａ）に示したように、一方の巻き取り軸２１のほかに、上記各実施形態と同様に他方の巻き取り軸２２を有しており、他方の巻き取り軸２２は、ネット状部材３２０を展開した際における略中央部に配置されている。かかる状態で、図１０（ｂ）に示したように、一方の巻き取り軸２１を一方向に回転させて上記のように該一方の巻き取り軸２１の両脇付近に位置する密閉用フィルム部３１０とネット状部材３２０のＢ領域とを一緒に巻き取っていくと、他方の巻き取り軸２２はネット状部材３２０を巻き取ることなく、一方の巻き取り軸２１（図の右方）に引き寄せられていく。このように、一方の巻き取り軸２１に他方の巻き取り軸２２が接近した状態で、温室１００の換気用の開口部１１０（図２参照）に各端部３１０ａ，３２０ａを固定して取り付ける。
【００３３】
他方の巻き取り軸２２が一方の巻き取り軸２１側に引き寄せられて接近した状態では、他方の巻き取り軸２２を境としたネット状部材３２０の端部３２０ａ側のＡ領域が換気用の開口部１１０を覆った開放状態となっている。かかる状態で、他方の巻き取り軸２２を他方向に回転させると、図１０（ｃ）に示したように、他方の巻き取り軸２２が、ネット状部材３２０のＡ領域とＢ領域を共に巻き取っていき、図の左方に移動し、密閉用フィルム部３１０が展開されていく。従って、ネット状部材３２０のＢ領域は、一方の巻き取り軸２１から巻き戻されると共に、他方の巻き取り軸２２に巻き取られていく。このため、一方の巻き取り軸２１は、密閉用フィルム部３１０を巻き戻しながら、他方の巻き取り軸２２と共に図の左方に移動していく。これにより、温室の換気用の開口部１１０が閉鎖状態となる。以降、上記動作を繰り返し、一方の巻き取り軸２１の一方向への回転によって、密閉用フィルム部３１０とネット状部材３２０のＢ領域とを巻き取って、ネット状部材３２０のＡ領域を他方の巻き取り軸２２から巻き戻し、他方の巻き取り軸２２の他方向への回転によって、ネット状部材３２０のＡ領域及びＢ領域を一緒に巻き取って、一方の巻き取り軸２１から密閉用フィルム部３１０を巻き戻す。
【００３４】
本実施形態では、このように、一方の巻き取り軸２１が、密閉用フィルム部３１０の略中央部ではなく、密閉用フィルム部３１０とネット状部材３２０のＢ領域とを共に巻き取り可能な位置に設けられ、一方の巻き取り軸２１にネット状部材３２０のＢ領域を巻き取った状態で、ネット状部材３２０のＡ領域が展開される必要があるため、図９及び図１０（ａ）に示したように、ネット状部材３２０は、密閉用フィルム部３１０との隣接方向に沿った長さとして、密閉用フィルム部３１０の略２倍の長さを有する必要がある。
【００３５】
なお、図１０（ｃ）に示したように、密閉用フィルム部３１０を巻き戻した状態では、ネット状部材３２０が固定張り１２０に隣接しており、ネット状部材３２０の換気用孔部が閉塞されていない部分が生じる。従って、かかる不都合を解消するため、図１０（ｃ）に示したＤ領域には、固定張り１２０に連続して、換気用孔部閉鎖用の固定張り（図示せず）を配設することが好ましい。もちろん、上記実施形態のようにネット状部材３２０の端部付近に密閉用フィルム部３１０と同様の素材からなるフィルム部を設けると共に、一方の巻き取り軸２１が図の左方に移動した際には、他方の巻き取り軸２２に密接し、両者間に隙間が生じないように調整することもでき、これにより、換気用孔部閉鎖用の固定張りを不要とすることもできる。
【００３６】
また、図９及び図１０においては、ネット状部材３２０の長さを密閉用フィルム部３１０の略２倍に設定しているが、図１１に示したように、密閉用フィルム部３１０の長さをネット状部材３２０の長さの略２倍に設定することもできる。この場合には、一方の巻き取り軸２１を密閉用フィルム部３１０とネット状部材３２０との隣接部に配置して両者を一緒に支持し、他方の巻き取り軸２２を密閉用フィルム部３１０の略中央部に配置する。かかる構成によっても、上記と同様に、温室の換気用の開口部１１０を開閉することができる。
【００３７】
なお、図９〜図１１に示した実施形態においても、図８に示した実施形態と同様に、換気用孔部形成部として、ネット状部材に代えて、複数の紐状部材を用いることもできるし、ネット状部材と複数の紐状部材との組み合わせからなるものを用いることもできる。また、図９〜図１１に示した実施形態では、密閉用フィルム部と換気用孔部形成部としてのネット状部材とを予め一体化することなくそれぞれ別々に形成し、一方の巻き取り軸２１に両者を一緒に固定して用いているが、密閉用フィルム部と換気用孔部形成部とを予め一体化したものを用い、一方の巻き取り軸２１及び他方の巻き取り軸２２を図９〜図１１に示した実施形態と同様の位置に配置して用いることもできる。
【００３８】
【発明の効果】
本発明は、温室用換気フィルムとして、密閉用フィルム部と換気用孔部を備えた換気用孔部形成部との組み合わせからなるものを用い、これを、巻き取り軸に対して、密閉用フィルム部と換気用孔部形成部との隣接方向に巻き取らせる構成である。従って、本発明によれば、換気用孔部形成部を全て巻き取ることにより、換気用孔部形成部に形成された全ての換気用孔部を閉塞できるため、従来のように、ひさし状の板状部材などを設ける必要がない。また、巻き取り軸の駆動負荷を従来よりも軽減することができる。また、ひさし状の板状部材などを設ける必要がないため、温室の骨組み材に蛇行が生じていたとしても、換気用の開口部を確実に密閉することができる。また、換気用の開口部の開放時には、該開口部が換気用孔部を備えた換気用孔部形成部で覆われるため、それにより、別途の部材を用いることなく、防虫・防鳥対策を施すことができ、また、所定の遮光・遮熱機能も発揮させることができる。
【図面の簡単な説明】
【図１】図１は、本発明の一の実施形態にかかる温室用換気フィルムを示す平面図である。
【図２】図２は、本発明の一の実施形態にかかる温室用換気フィルムの開閉装置を示す概略斜視図である。
【図３】図３は、上記実施形態にかかる温室用換気フィルムにより、換気用の開口部が閉鎖されている状態を示す概念図であり、（ａ）は平面方向からみた概念図を、（ｂ）は正面方向から見た概念図をそれぞれ示す。
【図４】図４は、上記実施形態にかかる温室用換気フィルムの動作途中の状態を示す概念図であり、（ａ）は平面方向からみた概念図を、（ｂ）は正面方向から見た概念図をそれぞれ示す。
【図５】図５は、上記実施形態にかかる温室用換気フィルムにより、換気用の開口部が開放されている状態を示す概念図であり、（ａ）は平面方向からみた概念図を、（ｂ）は正面方向から見た概念図をそれぞれ示す。
【図６】図６は、上記実施形態で用いた逆転防止手段の構造を説明するための図である。
【図７】図７は、本発明の温室用換気フィルムの開閉装置を用いた温室の他の実施形態を示す図である。
【図８】図８は、本発明の他の実施形態にかかる温室用換気フィルムを示す平面図である。
【図９】図９は、本発明の他の実施形態にかかる温室用換気フィルムの開閉装置を説明するための図である。
【図１０】図１０は、図９に示した実施形態の動作を説明するための図である。
【図１１】図１１は、本発明の他の実施形態にかかる温室用換気フィルムの開閉装置の他の態様を示す図である。
【符号の説明】
１０，２００，３００　温室用換気フィルム
１１，２１０，３１０　密閉用フィルム部
１２，３２０　ネット状部材
１２ｃ　フィルム部
１２ｄ，２２０ｄ　換気用孔部
２２０　紐状部材
２０　開閉装置
２１　一方の巻き取り軸
２２　他方の巻き取り軸
３０　固定部材
１００　温室
１１０　換気用の開口部
【図１】
2004097085.tif 000003
【図２】
2004097085.tif 000004
【図３】
2004097085.tif 000005
【図４】
2004097085.tif 000006
【図５】
2004097085.tif 000007
【図６】
2004097085.tif 000008
【図７】
2004097085.tif 000009
【図８】
2004097085.tif 000010
【図９】
2004097085.tif 000011
【図１０】
2004097085.tif 000012
【図１１】
2004097085.tif 000013